(57)【要約】【課題】従来のデジタル映像再生装置は、デスクランブルする必要のないパケットについても暗号解読要求を暗号解読装置に出力していたため、入力されるパケットの種類が、暗号解読装置が同時に解読できるパケットの種類の最大数を超えた場合、本来、デスクランブルすべきパケットの暗号解読が不可能となり、音声及び映像を再生することができなかった。【解決手段】ＰＭＴ加工部６は、ＴＳデコーダ３から取得したプログラムマップテーブル（ＰＭＴ）のうち、映像デコーダ４及び音声デコーダ５が復号できない種類のパケットについてのデータを削除する。スクランブル解除カード２は、ＰＭＴ加工部によって加工された加工済みＰＭＴ情報Ｉｐｍｔに基づいて、映像デコーダ４及び音声デコーダ５が再生可能な種類のパケットのみデスクランブルする。【選択図】図１
2007288357.tif 000002
【特許請求の範囲】
【請求項１】
外部から入力される指示に従って、暗号化された第１のビットストリームを解読し、前記第１のビットストリームの少なくとも一部が解読された第２のビットストリームを出力する暗号解読処理装置に接続され、複数のパケットが多重化された入力信号に含まれる映像データを再生する映像再生装置であって、
前記入力信号を受信し、受信した前記入力信号を第１のビットストリームに変換し、前記第１のビットストリームを前記暗号解読処理装置に出力するチューナ部と、
前記暗号解読処理装置から出力される第２のビットストリームを受け取り、前記第２のビットストリームに含まれるパケットを出力するデータ入出力部と、
前記データ入出力部から出力されるパケットに含まれる前記映像データを再生する映像再生部と、
前記第１のビットストリームに含まれるパケットのうち、暗号を解読すべきパケットのデータ形式を、前記暗号解読処理装置に指示する暗号解読指示部とを備える、映像再生装置。
【請求項２】
前記暗号解読指示部は、前記映像再生部が再生可能なデータ形式を前記暗号解読処理装置に指示することを特徴とする、請求項１に記載の映像再生装置。
【請求項３】
前記入力信号には、音声データが更に含まれており、
前記データ入出力部から出力されるパケットに含まれる前記音声データを再生する音声再生部を更に備え、
前記暗号解読指示部は、前記音声再生部が再生可能なデータ形式を前記暗号解読処理装置に指示することを特徴とする、請求項１に記載の映像再生装置。
【請求項４】
前記データ入出力部は、前記入力信号に含まれるデータ形式が定義された番組マップ情報を記憶し、
前記暗号解読指示部は、前記データ入出力部に記憶される前記番組マップ情報を取得し、取得した番組マップ情報から、前記映像再生部が再生可能なデータ形式について情報のみを抽出することによって、加工済み番組マップ情報を生成し、前記加工済み番組マップ情報を前記暗号解読装置に出力することを特徴とする、請求項２に記載の映像再生装置。
【請求項５】
前記データ入出力部は、前記入力信号に含まれるデータ形式が定義された番組マップ情報を記憶し、
前記暗号解読指示部は、前記データ入出力部に記憶される番組マップ情報を取得し、取得した番組マップ情報から、前記音声再生部が再生可能なデータ形式についての情報のみを抽出することによって、加工済み番組マップ情報を生成し、前記加工済み番組マップ情報を前記暗号解読装置に出力することを特徴とする、請求項３に記載の映像再生装置。
【請求項６】
所望のデータ形式を含む選択情報を受け付け、前記選択情報に含まれるデータ形式を前記暗号解読指示部に指示するパケット選択指示部を更に備え、
前記暗号解読指示部は、前記パケット選択指示部からの指示されたデータ形式を、前記暗号解読処理装置に指示することを特徴とする、請求項１に記載の映像再生装置。
【請求項７】
前記選択情報は、所望の映像データのデータ形式を含み、
前記暗号解読指示部は、前記パケット選択指示部から指定された映像データのデータ形式を、前記暗号解読処理装置に指示することを特徴とする、請求項６に記載の映像再生装置。
【請求項８】
前記入力信号は、音声データを更に含み、
前記選択情報は、所望の音声データのデータ形式を更に含み、
前記データ入出力部から出力されるパケットに含まれる前記音声データを再生する音声再生部を更に備え、
前記暗号解読指示部は、前記パケット選択指示部から指定された音声データのデータ形式を、前記暗号解読処理装置に指示することを特徴とする、請求項６に記載の映像再生装置。
【請求項９】
前記データ入出力部は、前記入力信号に含まれるデータ形式が定義された番組マップ情報を記憶し、
前記暗号解読指示部は、前記データ入出力部に記憶される番組マップ情報を取得し、取得した番組マップ情報から、前記パケット選択指示部が指定した映像データのデータ形式についての情報のみを抽出することによって、加工済み番組マップ情報を生成し、前記加工済み番組マップ情報を前記暗号解読装置に出力することを特徴とする、請求項７に記載の映像再生装置。
【請求項１０】
前記データ入出力部は、前記入力信号に含まれるデータ形式が定義された番組マップ情報を記憶し、
前記暗号解読指示部は、前記データ入出力部に記憶される番組マップ情報を取得し、取得した番組マップ情報から、前記パケット選択指示部が指定した音声データのデータ形式についての情報のみを抽出することによって、加工済み番組マップ情報を生成し、前記加工済み番組マップ情報を前記暗号解読装置に出力することを特徴とする、請求項８に記載の映像再生装置。
【発明の詳細な説明】
【技術分野】
【０００１】
本発明は、映像再生装置に関し、より特定的には、スクランブルを解除する外付けのモジュールが装着される映像再生装置に関する。
【背景技術】
【０００２】
従来、スクランブルを解除する外付けのモジュールが装着される映像再生装置に関して、例えば、北米の標準仕様であるオープンケーブルの仕様書には、外付けモジュール及び映像再生装置間のインターフェースが明記されている（例えば、非特許文献１参照）。
【０００３】
図７は、従来の映像再生装置の一例として、デジタル放送受信器の構成を示すブロック図である。
【０００４】
図７に示される映像再生装置９１は、チューナ８１と、スクランブル解除カード８２と、トランスポートストリームデコーダ（以下、「ＴＳデコーダ」という）８３と、映像デコーダ８４と、音声デコーダ８５とを備える。
【０００５】
チューナ８１は、デジタル放送信号を受信すると、受信したデジタル放送信号を復調することによってトランスポートストリームを生成し、生成されたトランスポートストリームをスクランブル解除カード２へと出力する。
【０００６】
スクランブル解除カード２は、映像再生装置９１に装着される外付けのモジュールであり、ＴＳデコーダ８３が保持するプログラムマップテーブル（以下、「ＰＭＴ」という）に含まれる情報に基づいて、チューナ８１から出力されたトランスポートストリームの暗号を解読する。暗号解読処理装置８９は、スクランブル解除カード８２によって解読されたトランスポートストリームをＴＳデコーダ８３へと出力する。
【０００７】
ＴＳデコーダ８３は、解読されたトランスポートストリームから映像パケットや音声パケットを復元し、復元された映像パケットを映像デコーダ８４に出力し、復元された音声パケットを音声デコーダ８５へ出力する。
【０００８】
映像デコーダ８４及び音声デコーダ８５は、それぞれ、ＴＳデコーダ８３から出力されたパケットをデコードすることによって、映像データ及び音声データを復元する。復元された映像データ及び音声データの各々は、後続の回路によって、更に映像信号及び音声信号各々に変換される。変換された映像信号及び音声信号は、モニタやスピーカ等の出力装置から出力され、受信した番組が再生される。
【０００９】
図８Ａは、図７に示される映像再生装置において使用されるプログラムマップテーブルの一例を示す図である。
【００１０】
プログラムマップテーブルには、ＴＳパケットに含まれるデータの属性（データ形式）と、データ属性を識別するための一意な識別番号とが関連づけられた情報が定義されている。例えば、図８Ａに示される例においては、ＭＰＥＧ１ビデオ、ＭＰＥＧ２ビデオ、ＭＰＥＧオーディオ（主音）、ＭＰＥＧオーディオ（副音）、ＡＣ３（主音）及びＡＣ３（副音）の６種類のデータ属性の各々に識別番号１１〜１６がそれぞれ割り当てられている。
【００１１】
図８Ｂは、トランスポートストリームの構成例を示す図である。
【００１２】
トランスポートストリームは、パケットヘッダとペイロードを含む複数のＴＳパケットから構成される。ＴＳパケットの各々のパケットヘッダには、ペイロードに含まれるデータの属性を示す識別子が設定されている。尚、ＴＳパケットに含まれる識別子とデータ属性との対応関係は、図８Ａに示されるＰＭＴに定義されているものと同一である。
【００１３】
図９は、図７に示される映像再生装置において実行される暗号解読処理を示すフローチャートである。
【００１４】
まず、チューナ８１によって、スクランブル解除カード８２に暗号化された映像データが入力されると（ステップＳ９０１）、スクランブル解除カード８２は、ＴＳデコーダ８３からＰＭＴを取得する（ステップＳ９０２）。
【００１５】
次に、スクランブル解除カード８２は、取得したＰＭＴに定義されている識別番号をパケットヘッダに含むパケットについて暗号解読を実行する（ステップＳ９０３）。スクランブル解除カード８２は、解読されたパケットを含むトランスポートストリームをＴＳデコーダ８３に出力する。
【００１６】
そして、ＴＳデコーダ８３によって復元された映像パケット及び音声パケットは、それぞれ映像デコーダ８４及び音声デコーダ８５によって再生される（ステップＳ９０４）。
【００１７】
ただし、あるスクランブル解除カードには、その処理能力の制約として、同時に暗号を解読することができるパケットの種類の数に制限が設けられる場合がある。この場合、スクランブル解除カードは、設けられた制限内の種類のパケットを同時に解読してＴＳデコーダへ出力するが、制限を超える種類のパケットを解読することなくＴＳデコーダへ出力する。
【００１８】
例えば、図７に示されるスクランブル解除カード８２が、同時に３種類のパケットの暗号を解読することができる場合を想定する。この場合において、スクランブル解除カード８２は、図６Ｂに示されるトランスポートストリーム（すなわち、６種類のパケットを含むトランスポートストリーム）を受け取ると、例えば、ＭＰＥＧ２ビデオ、ＭＰＥＧ１ビデオ、ＭＰＥＧオーディオ（主音）の３種類のパケットのみを同時に解読する。この場合、ＭＰＥＧオーディオ（副音）、ＡＣ３（主音）及びＡＣ３（副音）パケットは、スクランブルされたままの状態で、ＴＳデコーダ８３へ送信される。
【非特許文献１】アメリカ規格協会（ＡＮＳＩ）、「ＡＮＳＩ  ＳＣＴＥ２８２００３ＤＶＳ２９５」
【非特許文献２】ケーブルラボ（ＣａｂｌｅＬａｂｓ）、「ケーブルカード（商標）  インターフェース２．０仕様書（ＣａｂｌｅＣＡＲＤ（ＴＭ）  Ｉｎｔｅｒｆａｃｅ  ２．０  Ｓｐｅｃｉｆｉｃａｔｉｏｎ）」、（米国）、２００５年１１月１７日、ＯＣ−ＳＰ−ＣＣＩＦ２．０−Ｉ０３−０５１１１７、ｐ．１０４−１０６
【発明の開示】
【発明が解決しようとする課題】
【００１９】
上述したように、スクランブル解除カードには、その性能上の制約として、同時に暗号を解読することができるパケットの種類が制限される場合がある。このようなスクランブル解除カードを利用する従来の映像再生装置には、次のような問題がある。
【００２０】
第１に、トランスポートストリームは、映像再生装置に含まれる映像デコーダ及び音声デコーダが再生可能なパケットと、再生不可能なパケットとを同時に含む場合がある。一方、従来の映像再生装置は、映像デコーダ及び音声デコーダが再生可能なパケットの種類を考慮することなく、暗号化されたトランスポートストリームの解読をスクランブル解除カードに指示する。したがって、スクランブル解除カードの性能に制限がある場合には、スクランブル解除カードが、映像デコーダ及び音声デコーダにおいて再生不可能なパケットを解読することによって、必要なパケットの暗号を解読する余地が狭まる。
【００２１】
第２に、視聴者が視聴を希望する番組は、特定のデータ形式の映像データ及び音声データから構成される場合がある。一方、従来の映像再生装置は、所望の番組を構成するパケットを考慮することなく、暗号の解読をスクランブル解除カードに指示する。したがって、スクランブル解除カードの性能に制限がある場合には、スクランブル解除カードが、所望の番組を構成するパケット以外のパケットを解読することによって、所望の番組を構成するパケットが解読されない虞がある。
【００２２】
すなわち、上記いずれの場合においても、従来の映像再生装置は、暗号を解読する必要のないパケットについても暗号を解読するようにスクランブル解除カードに指示するので、スクランブル解除カードにその制限を超える種類のパケットを含むトランスポートストリームが入力された場合には、必要なケットを解読するためのスクランブル解除カードのリソースが不足し、その結果、視聴者が望む映像及び音声を再生することができないという問題があった。
【００２３】
それ故に、本発明は、スクランブル解除カードに同時に暗号を解読することができるパケットの種類の数に制限がある場合においても、視聴者が所望する映像及び音声を再生することができる映像再生装置を提供することを目的とする。
【課題を解決するための手段】
【００２４】
本発明は、外部から入力される指示に従って、暗号化された第１のビットストリームを解読し、第１のビットストリームの少なくとも一部が解読された第２のビットストリームを出力する暗号解読処理装置に接続され、複数のパケットが多重化された入力信号に含まれる映像データを再生する映像再生装置であって、入力信号を受信し、受信した入力信号を第１のビットストリームに変換し、第１のビットストリームを暗号解読処理装置に出力するチューナ部と、暗号解読処理装置から出力される第２のビットストリームを受け取り、第２のビットストリームに含まれるパケットを出力するデータ入出力部と、データ入出力部から出力されるパケットに含まれる映像データを再生する映像再生部と、第１のビットストリームに含まれるパケットのうち、暗号を解読すべきパケットのデータ形式を、暗号解読処理装置に指示する暗号解読指示部とを備える。
【発明の効果】
【００２５】
本発明によれば、スクランブル解除カードは、暗号解読指示部から指示したパケットを優先的に解読するため、スクランブル解除カードに、同時に暗号を解読できるパケットの種類の数についての制限がある場合においても、視聴者が所望する映像及び音声の視聴が可能な映像再生装置を実現することが可能となる。
【発明を実施するための最良の形態】
【００２６】
以下、本発明の各実施形態に係る映像再生装置について、図面を参照しながら詳細に説明する。以下の各実施形態に係る映像再生装置は、一例として、デジタル放送受信機として実現される。
【００２７】
（第１の実施形態）
図１は、本発明の第１の実施形態に係る映像再生装置の概略構成を示すブロック図である。
【００２８】
図１に示される映像再生装置１１は、チューナ１と、トランスポートストリームデコーダ（以下、「ＴＳデコーダ」という）３と、映像デコーダ４と、音声デコーダ５とプログラムマップテーブル加工部（以下、「ＰＭＴ加工部」という）６とを備える。映像再生装置１１には、外付けの暗号解読処理装置として機能するスクランブル解除カード２が装着されている。
【００２９】
チューナ１は、アンテナやケーブルから、入力信号として、デジタル放送信号を受信し、受信したデジタル放送信号に復調処理や誤り訂正処理等を施す。また、チューナ１は、受信したデジタル放送信号からトランスポートストリームＴＳｓを生成し、生成したトランスポートストリームＴＳｓをスクランブル解除カード２に出力する。トランスポートストリームは、デジタル放送に使用される種々のデータを含む複数のパケットによって構成されるビットストリームである。
【００３０】
スクランブル解除カード２は、暗号解読処理装置として、映像データ処理端末８に装着される外付けのモジュールである。スクランブル解除カード２は、外部からの指示（後述するＰＭＴ加工部６からの指示）に従って、トランスポートストリームＴＳｓの暗号を解読し、暗号が解読されたトランスポートストリームＴＳｄを生成する。スクランブル解除カード２は、生成されたトランスポートストリームＴＳｄをＴＳデコーダ３へと出力する。
【００３１】
ＴＳデコーダ３は、暗号が解読されたトランスポートストリームＴＳｄから映像パケットＰｖや音声パケットＰａを復元し、映像パケットＰｖを映像デコーダ４に出力し、音声パケットＰａを音声デコーダ５へ出力する。また、ＴＳデコーダ３は、ＴＳパケットのペイロードに含まれるデータの属性と、一意な識別番号とが関連づけられたプログラムマップ情報（以下、「ＰＭＴ」という）を含んでいる。尚、本実施形態におけるＴＳデコーダ３は、スクランブル解除カード２からから出力されるトランスポートストリームＴＳｄを受け取り、トランスポートストリームＴＳｄに含まれるパケットを出力するデータ入出力部に相当する。
【００３２】
映像デコーダ４は、ＴＳデコーダ３から出力された映像パケットＰｖをデコードすることによって、映像データを復元し、復元された映像データを後続の回路等に出力する。映像データは、後続の回路等によって映像信号に変換された後、モニタ等の出力装置から映像として出力される。
【００３３】
同様に、音声デコーダ５は、ＴＳデコーダ３から出力された音声パケットＰａをデコードすることによって、音声データを復元し、復元された音声データを後続の回路等に出力する。音声データは、後続の回路等によって音声信号に変換された後、スピーカ等の出力装置から音声として出力される。
【００３４】
ＰＭＴ加工部６は、ＴＳデコーダ３が保持するＰＭＴに定義されるＰＭＴ情報Ｉｐｍｔを取得し、取得したＰＭＴ情報Ｉｐｍｔを加工した後、加工済みＰＭＴ情報ＩＭｐｍｔをスクランブル解除カード２に出力する。より詳細には、ＰＭＴ加工部６は、映像デコーダ４及び音声デコーダ５が復号可能なデータ属性（データ圧縮形式）の識別番号を予め記憶しており、取得したＰＭＴ情報Ｉｐｍｔのうち、予め記憶する識別番号で特定されるデータのみを抽出する。ＰＭＴ加工部６は、抽出されたデータのみを含む加工済みＰＭＴ情報ＩＭｐｍｔを生成し、加工済みＰＭＴ情報ＩＭｐｍｔをスクランブル解除カード２に出力する。本実施形態に係るＰＭＴ加工部６は、トランスポートストリームＴＳｓに含まれるパケットのうち、暗号を解読すべきパケットのデータ形式をスクランブル解除カード２に指示する暗号解読指示部に相当する。
【００３５】
尚、ＰＭＴ加工部６に、映像デコーダ４及び音声デコーダが復号可能なデータ属性を予め記憶させる方法は、特に限定されるものではない。一例として、映像再生装置１１の製造時に、映像デコーダ４及び音声デコーダ５の仕様に基づいて、ＰＭＴ加工部６に予めデータ属性を記憶させても良い。また、他の一例として、ＰＭＴ加工部６が参照可能出、かつ、書き換え可能な不揮発性メモリ等の記憶媒体を用意し、外部から信号等を入力することによって、映像デコーダ４及び音声デコーダ５が復号可能なデータ属性を設定しても良い。
【００３６】
図２は、図１に示される映像再生装置において実行される暗号解読処理の一例を示すフローチャートである。
【００３７】
まず、ＰＭＴ加工部６は、ＰＭＴを加工する（ステップＳ１０１）。より詳細には、ＰＭＴ加工部６は、ＴＳデコーダ３からＰＭＴ情報Ｉｐｍｔを取得し、予め記憶されている識別番号に基づいて、映像デコーダ４及び音声デコーダ５が再生不可能なデータ属性についての情報を削除することによって、取得したＰＭＴ情報Ｉｐｍｔから、映像デコーダ４及び音声デコーダ５が再生可能な圧縮形式についての情報のみを抽出する。
【００３８】
次に、チューナ１によって、スクランブル解除カード２に暗号化されたトランスポートストリームＴＳｓが入力されると（ステップＳ１０２）、スクランブル解除カード２は、ＰＭＴ加工部６から加工済みＰＭＴ情報ＩＭｐｍｔを取得する（ステップＳ１０３）。
【００３９】
次に、スクランブル解除カード２は、取得した加工済みＰＭＴ情報ＩＭｐｍｔに定義されている識別番号をパケットヘッダに含むパケットについて暗号解読を実行する（ステップＳ１０４）。スクランブル解除カード２は、解読されたパケットを含むトランスポートストリームＴＳｄをＴＳデコーダ３に出力する。
【００４０】
そして、ＴＳデコーダ３によって復元された映像パケットＰｖ及び音声パケットＰａは、それぞれ映像デコーダ４及び音声デコーダ５によって再生される（ステップＳ１０５）。
【００４１】
尚、図２においては、一例として、ＰＭＴ加工部６がＰＭＴを加工するステップＳ１０１が最初に実行されているが、ステップＳ１０１は、例えば映像再生装置の起動時等の所定のタイミングで実行されても良い。
【００４２】
以下、図３Ａ及び図３Ｂを参照しながら、ＰＭＴ加工部６の処理の具体例について更に説明する。
【００４３】
図３Ａは、図１に示されるＰＭＴ加工部によって加工されたＰＭＴの例を示す図である。
【００４４】
上述したように、ＰＭＴ加工部６は、映像デコーダ４が再生可能な映像の圧縮形式と、音声デコーダ５が再生可能な音声の圧縮形式とを予め記憶している。以下においては、説明を容易にするために、図１に示される映像デコーダ４がＭＰＥＧ２ビデオを再生可能であり、図１に示される音声デコーダ５がＡＣ３を再生可能である場合を想定する。
【００４５】
ＰＭＴ加工部６は、ＴＳデコーダ３から取得したＰＭＴ情報のうち、映像デコーダ４が再生することができないＭＰＥＧ１ビデオの情報と、音声デコーダ５が再生することができないＭＰＥＧオーディオの情報とを削除する。すなわち、ＰＭＴ加工部６は、ＰＭＴ情報Ｉｐｍｔのうち、映像デコーダ４が再生可能なＭＰＥＧ２ビデオについての情報と、音声デコーダ５が再生可能なＡＣ３についての情報とを抽出して、加工済みＰＭＴ情報ＩＭｐｍｔを生成する。
【００４６】
加工済みＰＭＴ情報ＩＭｐｍｔには、図３Ａに示されるように、識別番号１２、１５及び１６の各々に関連づけられるＭＰＥＧ２ビデオ、ＡＣ３（主音）及びＡＣ３（副音）の３種類の属性が定義されている。すなわち、加工済みＰＭＴ情報ＩＭｐｍｔは、スクランブル解除カード２によって、当該３種類の属性を有するパケットの暗号解読が実行されることを示す。
【００４７】
図３Ｂは、スクランブル解除カードが受け取るトランスポートストリームの一例を示す図である。
【００４８】
図３Ｂに示されるトランスポートストリームＴＳｓには、パケットヘッダに識別番号１１〜１３、１５及び１６が設定された５種類のＴＳパケットが含まれている。一方、図３Ａに示されるように、スクランブル解除カード２がＰＭＴ加工部６から受け取った加工済みＰＭＴ情報ＩＭｐｍｔには、識別番号１１（ＭＰＥＧ１ビデオ）及び識別番号１３（Ａｕｄｉｏ１［ＭＰＥＧ  Ａｕｄｉｏ（主）］）が定義されていない。
【００４９】
したがって、スクランブル解除カード２は、トランスポートストリームＴＳｓに含まれる５種類のＴＳパケットのうち、識別番号１２、１５及び１６を有するＴＳパケットを暗号解読してから出力するが、識別番号１１及び１３を有するパケットをスクランブルされたままの状態で出力する。
【００５０】
ここで、スクランブル解除カード２が、同時に３種類のパケットの暗号を解読できる性能を有し、視聴者が所望する番組がＭＰＥＧ２ビデオ及びＡＣ３音声から構成されている場合を更に想定する。
【００５１】
従来の映像再生装置は、映像デコーダ及び音声デコーダが再生可能なパケットとは関係なく、例えば、ＭＰＥＧ２ビデオ、ＭＰＥＧ１ビデオ及びＭＰＥＧオーディオ（主音）のデータを含むパケットの暗号を解読するようにスクランブル解除カードに指示していた。この場合、従来の映像再生装置は、ＭＰＥＧオーディオ（副音）、ＡＣ３（主音）及びＡＣ３（副音）のデータを含むパケットをスクランブルされたまま出力するので、視聴者が希望するＡＣ３（主音）及びＡＣ３（副音）を再生することができなかった。言い換えれば、従来の映像再生装置においては、スクランブル解除カードのリソースは、必ずしも映像デコーダ及び音声デコーダが再生可能なパケットを解読するために割り当てられない場合がある。
【００５２】
これに対して、本実施形態に係る映像再生装置において、ＰＭＴ加工部６は、映像デコーダ４及び音声デコーダ５が再生可能なパケットの暗号を解除するようにスクランブル解除カード２に指示する。したがって、本実施形態に係る映像再生装置によれば、スクランブル解除カード２のリソースを必要なパケットの解読のために有効に利用することができるため、再生が可能なＭＰＥＧ２ビデオ、ＡＣ３（主音）及びＡＣ３（副音）のパケットを優先的に解読することが可能となる。
【００５３】
尚、本実施形態においては、映像デコーダ４が再生可能なビデオの圧縮形式がＭＰＥＧ２ビデオであり、音声デコーダ５が再生可能な音声の圧縮形式がＡＣ３である場合について説明した。仮に、映像デコーダ４が再生可能なビデオの圧縮形式がＭＰＥＧ１のみであり、映像デコーダ４がＭＰＥＧ２ビデオを再生することができない場合には、ＰＭＴ加工部６は、同様に、ＰＭＴ情報ＩｐｍｔからＭＰＥＧ２ビデオについての情報を削除することによって、ＭＰＥＧ１ビデオについての情報のみを含む加工済みＰＭＴ情報ＩＭｐｍｔを作成する。また、仮に、音声デコーダ５が再生可能な音声の圧縮形式がＭＰＥＧオーディオのみである場合には、ＰＭＴ加工部６は、ＰＭＴ情報ＩｐｍｔからＡＣ３についての情報を削除することによって、ＭＰＥＧオーディオについての情報のみを含む加工済みＩＭｐｍｔを作成すれば良い。
【００５４】
（第２の実施の形態）
図４は、本発明の第２の実施形態に係る映像再生装置の概略構成を示すブロック図である。
【００５５】
第２の実施形態に係る映像再生装置１２の基本的な構成は、第１の実施形態に係るものと同様であるので、以下においては、第２の実施形態と第１の実施形態との相違点を中心に説明する。
【００５６】
本実施形態に係る映像再生装置１２は、パケット選択指示部７を更に備えている点で、第１の実施形態に係るものと相違する。
【００５７】
パケット選択指示部７は、視聴者が視聴を希望する番組の映像及び音声の圧縮形式を含む選択情報Ｉｓを受け付ける。パケット選択指示部７は、受け付けた選択情報Ｉｓに基づいて、ＰＭＴ加工部６に対しては、暗号を解読すべきパケットを指定する指示Ｃｓを出力し、ＴＳデコーダ部３に対しては、暗号が解読されたトランスポートストリームＴＳｄから抽出すべきパケットの種類を含む指示Ｃｅを出力する。尚、選択情報Ｉｓは、映像再生装置１２の外部から供給されても良いし、映像再生装置１２のいずれかの構成から供給されても良い。
【００５８】
ＴＳデコーダ部３は、パケット選択指示部７からの指示Ｃｅに従って、スクランブル解除カード２から受け取ったトランスポートストリームＴＳｄからパケットを抽出し、抽出したパケットを映像デコーダ４及び音声デコーダ５に出力する。
【００５９】
図５は、図４に示される映像再生装置において実行される暗号解読処理の一例を示すフローチャートである。
【００６０】
まず、パケット選択指示部７は、選択情報Ｉｓを受け付けると、ＰＭＴ加工部６に暗号を解読すべきパケットを指定する指示Ｃｓを出力する（ステップＳ２０１）。
【００６１】
次に、ＰＭＴ加工部６は、パケット選択指示部７からの指示Ｃｓに基づいて、ＰＭＴを加工する（ステップＳ２０２）。より詳細には、ＰＭＴ加工部６は、ＴＳデコーダ３からＰＭＴ情報Ｉｐｍｔを取得し、予め記憶されている識別番号に基づいて、取得したＰＭＴ情報Ｉｐｍｔから、パケット選択指示部７によって指定された圧縮形式についての情報のみを抽出する。
【００６２】
次に、チューナ１によって、スクランブル解除カード２に暗号化されたトランスポートストリームＴＳｓが入力されると（ステップＳ１０２）、スクランブル解除カード２は、ＰＭＴ加工部６から加工済みＰＭＴ情報ＩＭｐｍｔを取得する（ステップＳ２０３）。
【００６３】
次に、スクランブル解除カード２は、取得した加工済みＰＭＴ情報ＩＭｐｍｔに定義されている識別番号をパケットヘッダに含むパケットについて暗号解読を実行する（ステップＳ２０４）。スクランブル解除カード２は、解読されたパケットを含むトランスポートストリームＴＳｄをＴＳデコーダ３に出力する。
【００６４】
そして、ＴＳデコーダ３から出力された映像パケットＰｖ及び音声パケットＰａは、それぞれ映像デコーダ４及び音声デコーダ５によって再生される（ステップＳ２０５）。
【００６５】
以下、図６Ａ及び図６Ｂを参照しながら、ＰＭＴ加工部６の処理の具体例について更に説明する。
【００６６】
図６Ａは、図４に示されるＰＭＴ加工部によって加工されたＰＭＴの例を示す図である。
【００６７】
以下においては、説明を容易にするために、スクランブル解除カード２が、同時に２種類のパケットの暗号を解読できる性能を有し、視聴者が所望する番組がＭＰＥＧ２ビデオ及びＡＣ３音声から構成されている場合を想定する。また、視聴者が所望する番組がＭＰＥＧ２ビデオのデータとＡＣ３（副）のデータとから構成されている場合を想定する。
【００６８】
パケット選択指示部７は、視聴者が所望する番組に含まれる映像及び音声の圧縮形式を含む選択情報Ｉｓを受け付け、受け付けた選択情報Ｉｓに含まれるデータ圧縮形式（ＭＰＥＧ２ビデオ及びＡＣ３（副））を選択する指示ＣｓをＰＭＴ加工部６に出力する。
【００６９】
ＰＭＴ加工部６は、ＴＳデコーダ３からＰＭＴ情報Ｉｐｍｔを取得し、取得したＰＭＴ情報から、パケット選択指示部７によって指定されたＭＰＥＧ２ビデオについての情報と、ＡＣ３（副）についての情報とを抽出して、加工済みＰＭＴ情報ＩＭｐｍｔを生成する。
【００７０】
加工済みＰＭＴ情報ＩＭｐｍｔには、図６Ａに示されるように、識別番号１２及び１６の各々に関連づけられたＭＰＥＧ２ビデオ及びＡＣ３（副音）の２種類のパケットが定義されている。すなわち、加工済みＰＭＴ情報ＩＭｐｍｔは、スクランブル解除カード２によって、当該２種類のパケットの暗号解読が実行されることを示す。
【００７１】
図６Ｂは、スクランブル解除カードが受け取るトランスポートストリームの一例を示す図である。
【００７２】
図６Ｂに示されるトランスポートストリームＴＳｓは、パケットヘッダに識別番号１１〜１３、１５及び１６が設定された５種類のＴＳパケットを含んでいる。一方、図６Ａに示されるように、スクランブル解除カード２がＰＭＴ加工部６から受け取った加工済みＰＭＴ情報ＩＭｐｍｔには、識別番号１２及び１６のみが指定されている。したがって、スクランブル解除カード２は、識別番号１２及び１６を有するＴＳパケットを暗号解読してから出力するが、識別番号１１及び１３を有するパケットをスクランブルされたままの状態で出力する。
【００７３】
従来の映像再生装置は、視聴者が所望する番組を構成するパケットに関係なく、パケットの解読をスクランブル解除カードに指示していたので、例えば、ＡＣ３（主音）及びＡＣ３（副音）のデータを含むパケットがスクランブルされたまま出力される場合があった。この場合、従来の映像再生装置は、視聴者が希望する番組の音声データ（ＡＣ３（主音）及びＡＣ３（副音））を再生することができなかった。言い換えれば、従来の映像再生装置においては、スクランブル解除カードのリソースは、視聴者が再生を希望するデータ属性のパケットを解読するために割り当てられない場合がある。
【００７４】
これに対して、本実施形態に係る映像再生装置においては、パケット選択指示部７は、視聴者が希望するＭＰＥＧ２ビデオ、ＡＣ３（主音）及びＡＣ３（副音）を選択するための選択情報Ｉｓを受け付け、パケット加工部６は、パケット選択指示部７から指示されたパケットの暗号を解読するようにスクランブル解除カード２に指示する。したがって、本実施形態に係る映像再生装置によれば、スクランブル解除カード２のリソースを必要なパケットの解読のために有効に利用することができるため、視聴者が所望する番組の音声データ（ＡＣ３（主音）及びＡＣ３（副音））のパケットを優先的に解読することが可能となる。
【００７５】
尚、本実施形態においては、視聴者が視聴を希望する番組がＭＰＥＧ２ビデオ及びＡＣ３である場合について説明した。仮に、視聴者が視聴を希望する番組がＭＰＥＧ１ビデオ及びＭＰＥＧオーディオによって構成され、かつ、映像デコーダ４が再生可能なビデオの圧縮形式がＭＰＥＧ１であり、音声デコーダ５が再生可能な音声の圧縮形式がＭＰＥＧオーディオである場合には、パケット選択指示部７は、ＭＰＥＧ１ビデオとＭＰＥＧオーディオ（主）のパケットを選択するようにＰＭＴ加工部６に指示Ｃｓを出力すれば良い。この場合においても、視聴者は、ＭＰＥＧ１ビデオとＭＰＥＧオーディオ（主）を視聴することができる。
【産業上の利用可能性】
【００７６】
本発明は、同時に暗号を解読できるパケットの種類の数についての制限がスクランブル解除カードにある場合において、視聴者が所望する番組の映像及び音声の視聴を可能とする映像再生装置を実現することができる。よって、本発明は、例えば、デジタル放送受信機、セットトップボックス、ビデオカセットレコーダ、ＤＶＤレコーダ等、デジタル映像信号を受信する機器に利用できる。
【図面の簡単な説明】
【００７７】
【図１】本発明の第１の実施形態に係る映像再生装置の概略構成を示すブロック図
【図２】図１に示される映像再生装置において実行される暗号解読処理の一例を示すフローチャート
【図３Ａ】図１に示されるＰＭＴ加工部によって加工されたＰＭＴの例を示す図
【図３Ｂ】スクランブル解除カードが受け取るトランスポートストリームの一例を示す図
【図４】本発明の第２の実施形態に係る映像再生装置の概略構成を示すブロック図
【図５】図４に示される映像再生装置において実行される暗号解読処理の一例を示すフローチャート
【図６Ａ】図４に示されるＰＭＴ加工部によって加工されたＰＭＴの例を示す図
【図６Ｂ】スクランブル解除カードが受け取るトランスポートストリームの一例を示す図
【図７】従来の映像再生装置の一例として、デジタル放送受信器の構成を示すブロック図
【図８Ａ】図７に示される映像再生装置において使用されるプログラムマップテーブルの一例を示す図
【図８Ｂ】トランスポートストリームの構成例を示す図
【図９】図７に示される映像再生装置において実行される暗号解読処理を示すフローチャート
【符号の説明】
【００７８】
１  チューナ
２  スクランブル解除カード
３  ＴＳデコーダ
４  映像デコーダ
５  音声デコーダ
６  ＰＭＴ加工部
７  パケット選択指示部
【図１】
2007288357.tif 000003
【図２】
2007288357.tif 000004
【図３Ａ】
2007288357.tif 000005
【図３Ｂ】
2007288357.tif 000006
【図４】
2007288357.tif 000007
【図５】
2007288357.tif 000008
【図６Ａ】
2007288357.tif 000009
【図６Ｂ】
2007288357.tif 000010
【図７】
2007288357.tif 000011
【図８Ａ】
2007288357.tif 000012
【図８Ｂ】
2007288357.tif 000013
【図９】
2007288357.tif 000014